(57)【要約】【課題】  配管の内径を狭めることなく、配管同士を正しい姿勢で接続することができる配管接続構造を提供する。【解決手段】  端部に回転可能に係止されたナット２を備えた一方の配管１と、ナット２が締め付けられる雄ねじ部７を端部に備えた他方の配管３と、を接続する配管接続構造において、ナット２から他方の配管３に向けて延びて、他方の配管３をナット２に差し込む方向を他方の配管３の外側から規制する差込み方向ガイド５を、一方の配管２に設ける。【選択図】  図１
2015172418.tif 000002
【特許請求の範囲】
【請求項１】
端部に回転可能に係止されたナットを備えた一方の配管と、前記ナットが締め付けられる雄ねじ部を端部に備えた他方の配管と、を接続する配管接続構造において、
前記ナットから前記他方の配管に向けて延びて、前記他方の配管を前記ナットに差し込む方向を前記他方の配管の外側から規制する差込み方向ガイドを、前記一方の配管に設けたことを特徴とする配管接続構造。
【請求項２】
請求項１において、
前記差込み方向ガイドは、前記他方の配管の外周に沿う内径を有することを特徴とする請求項１記載の配管接続構造。
【請求項３】
前記差込み方向ガイドは、複数のガイド片が間隔をあけて配設されていることを特徴とする請求項２記載の配管接続構造。
【発明の詳細な説明】
【技術分野】
【０００１】
本発明は、ナットを用いた配管接続構造に関する。
【背景技術】
【０００２】
先端にナットが付いたフレキシブル配管と、ナットが締め付けられる雄ねじが先端に形成された樹脂配管と、をネジ接続して接続するにあたり、ナットと雄ねじとを締め付ける際に、締め付け方向に対してナットを斜めの状態となって締め付けると、樹脂配管の雄ねじ形状が変形してナットと雄ねじとを斜めに締め付けてしまうことがある。この場合、配管接続部は接続不良となり、配管を流れる流体が漏れ出すおそれがある。
【０００３】
特許文献１は、このような問題を解決するものである。特許文献１は、フレキシブル部端部の直管部に設けられたフランジに係止して、直管部にナットが取付けられたフレキシブルパイプ継ぎ手に関する技術であって、直管部と、この直管部が接続される配管との両方にわたって挿入される接続スリーブが設けられ、かつこの接続スリーブの外径が直管部と配管の各内径に適合しているとともに、直管部と配管にわたって挿入した状態を接続スリーブに維持させる支持手段を設けている。これによれば、接続スリーブで配管に直管部をあらかじめ接続するとともに、直管部が径方向に移動することを接続スリーブで規制して、配管と直管部との各軸心を互いに平行状態にし、かつこの軸心の平行状態を維持させて、直管部に取付けられたナットを配管のねじにかみ合わせて締め付けるので、配管のねじに対するナットのかみ合わせなどの接続作業が容易であり、片締めが生じることがなく、常にガスケットの全周を均等に加圧して、漏水が生じるおそれがない状態に直管部を配管に接続することが可能である。
【先行技術文献】
【特許文献】
【０００４】
【特許文献１】実開平５−１４７８３号公報
【発明の概要】
【発明が解決しようとする課題】
【０００５】
しかし、特許文献１に示す方法では、直管部と配管の両方の内部に接続スリーブを挿入しているので、流路が狭くなる。また、配管スリーブの厚みの分だけ管路内に段差が生まれ、圧力損失が起こる。そのため、必要な流量・水圧を確保しにくくなる。
そこで、本発明は、配管の内径を狭めることなく、配管同士を正しい姿勢で接続することができる配管接続構造を提供することを目的とする。
【課題を解決するための手段】
【０００６】
上記した課題を解決するために、本発明にかかる配管接続構造では、端部に回転可能に係止されたナットを備えた一方の配管と、前記ナットが締め付けられる雄ねじ部を端部に備えた他方の配管と、を接続する配管接続構造において、前記ナットから前記他方の配管に向けて延びて、前記他方の配管を前記ナットに差し込む方向を前記他方の配管の外側から規制する差込み方向ガイドを、前記一方の配管に設けたことを特徴とする。
【０００７】
これによれば、ナットと雄ねじ部が斜めに接続されることがなく、正しい姿勢で接続されるので、斜めに締め付けることによる接続部の破損を防ぐことができる。これにより、接続部から配管を流れる流体が漏れ出るのを防止することが可能となる。
また、配管の外側で接続方向を規制するので、配管の内径を狭めることはなく、配管を流れる流体の流量を制限したり、流れが変わったりすることがない。
【０００８】
また、本発明にかかる配管接続構造では、前記差込み方向ガイドは、前記他方の配管の外周に沿う内径を有することが好ましい。
【０００９】
この好ましい態様によれば、他方の配管を差込み方向ガイドに差し込む際にがたつくことがないので、確実に差し込む方向をガイドすることができる。
【００１０】
さらに、本発明にかかる配管接続構造では、前記差込み方向ガイドは、複数のガイド片が間隔をあけて配設されているのも好ましい。
【００１１】
この好ましい態様によれば、ガイド片とガイド片との間から、雄ねじ部がナットに差し込まれる様子を観察することが可能なので、締め付け量（ねじ込み量）を視認でき、確実に締め付けられていることを確認することが可能となる。
【発明の効果】
【００１２】
本発明によれば、配管の内径を狭めることなく、配管同士を正しい姿勢で接続することができる配管接続構造を提供することが可能となる。
【図面の簡単な説明】
【００１３】
【図１】本発明の第一実施形態にかかる配管接続構造を示す図であり、（ａ）は接続作業の途中の状態を示す断面図、（ｂ）は接続完了した状態を示す断面図である。
【図２】本発明の第二実施形態にかかる配管接続構造を示す図であり、（ａ）は接続作業の途中の状態を示す断面図、（ｂ）は接続完了した状態を示す断面図である。
【発明を実施するための形態】
【００１４】
以下、本発明の実施の形態を、図面に基づいて説明する。
図１は、第一実施形態にかかる配管接続構造を示す図であり、（ａ）は接続作業の途中の状態を示す断面図、（ｂ）は接続完了した状態を示す断面図である。
図１に示すように、ナット２を備えたフレキシブル配管１とナット２が締め付けられる雄ねじ部７を端部に備えた樹脂配管３と、が接続されている。このナット２は、内周に雌ねじ部６を有し、フレキシブル管１の端部に形成されたフランジ１ａに対して回転可能に係止されている。
フレキシブル配管１には、樹脂配管３をナット２に差込む方向を規制する差込み方向ガイド５を設けている。より具体的には、フレキシブル配管１に係止したナット２に、ナット２から樹脂配管３に向けて延びる差込み方向ガイド５を設けている。この差込み方向ガイド５は、樹脂配管３の外周に沿う内径を有し、樹脂配管３の外側から樹脂配管３を差込む方向を規制する。また、接続したフレキシブル配管１と樹脂配管３の間には、パッキン４が取り付けられている。
【００１５】
フレキシブル配管１と樹脂配管３の接続は、まず、パッキン４をフレキシブル配管１の端部のフランジ１ａに重ねた状態で、樹脂配管３をナット２の差込み方向ガイド部５に挿入する。そして、樹脂配管３の雄ねじ部７がナット２の雌ねじ部６に当接した時点で、ナット２を回して締め付けて、フレキシブル配管１と樹脂配管３とを接続する。このナット２と樹脂配管３との接続の際に、パッキン４が締め付けられて、配管の接続部をシールする。
【００１６】
ナット２を樹脂配管３に接続する際には、差込み方向ガイド５の内径に樹脂配管３の外周が案内されることによって、樹脂配管３とナット２の軸が同軸上になる。この状態で、樹脂配管３の雄ねじ部７と、ナット２の雌ねじ部６とが接続されるため、フレキシブル配管１と樹脂配管３とは、軸がずれない正しい姿勢で配管接続することとなる。そのため、ナット２が斜めに締め付けられることはなく、接続部が破損することはない。また、配管接続作業が容易になる。また、差込み方向ガイド部５は、樹脂配管３の外周に沿うように設置され、配管の内周に設置されないので、配管の流路を狭めることがない。
【００１７】
次に、第二の実施形態について説明する。
図２は、第二実施形態にかかる配管接続構造を示す図であり、（ａ）は接続作業の途中の状態を示す断面図、（ｂ）は接続完了した状態を示す断面図である。
第二の実施形態は、第一実施例の変形例であり、第一の実施形態と同じ構成については同じ符号を付し、その説明を省く。
ナット２から延びる差込み方向ガイド部５は、ある一定の間隔８を空けて、ナット２から延びる複数のガイド片９から形成されている。これにより、ナット２を樹脂配管３に締め付ける際に、雄ねじ部７が目視で確認できるので、ねじ込み量を確認して締め付けをより確実に確認することができ、安心して接続作業を行うことができる。
【符号の説明】
【００１８】
１  フレキシブル配管（一方の配管）
２  ナット
３  樹脂配管（他方の配管）
４  パッキン
５  差込み方向ガイド部
６  雄ねじ部
７  雌ねじ部
８  間隔
９  ガイド片
【図１】
2015172418.tif 000003
【図２】
2015172418.tif 000004